(57)【要約】【課題】  親局装置が複数の子局装置から可変長のデータを収集する場合でも、親局装置が効率的にデータを収集することができる無線通信システム及び子局装置を得ることを目的とする。【解決手段】  親局装置１から送信されたポーリング要求を受信すると、他の子局装置から親局装置１宛に送信されたデータに含まれているデータ長情報を参照してデータの送信タイミングを計算し、その送信タイミングで、データ長情報を含むデータを親局装置１に送信するように構成した。【選択図】        図１
2005167491.tif 000002
【特許請求の範囲】
【請求項１】
親局装置がポーリング要求を複数の子局装置に送信して、上記複数の子局装置から順番にデータを収集する無線通信システムにおいて、上記複数の子局装置は、上記親局装置から送信されたポーリング要求を受信するポーリング要求受信手段と、他の子局装置から上記親局装置宛に送信されたデータを受信するデータ受信手段と、上記ポーリング要求受信手段によりポーリング要求が受信されると、上記データ受信手段により受信されたデータに含まれているデータ長情報を参照してデータの送信タイミングを計算する送信タイミング計算手段と、上記送信タイミング計算手段により計算された送信タイミングで、データ長情報を含むデータを上記親局装置に送信するデータ送信手段とを備えていることを特徴とする無線通信システム。
【請求項２】
送信タイミング計算手段は、予め設定されている複数の子局装置の送信順序を示す順序情報を参照して、送信順序が自局より１つ前の子局装置を認識し、その子局装置から上記親局装置宛に送信されたデータに含まれているデータ長情報を参照してデータの送信タイミングを計算することを特徴とする請求項１記載の無線通信システム。
【請求項３】
送信タイミング計算手段は、親局装置から送信されたポーリング要求に含まれている複数の子局装置の送信順序を示す順序情報を参照して、送信順序が自局より１つ前の子局装置を認識し、その子局装置から上記親局装置宛に送信されたデータに含まれているデータ長情報を参照してデータの送信タイミングを計算することを特徴とする請求項１記載の無線通信システム。
【請求項４】
親局装置は、予め複数の子局装置からデータを収集する頻度を示す頻度情報が時間帯別に記録されているテーブルを格納し、ポーリング要求を複数の子局装置に送信する際、そのテーブルから現在時刻に対応する複数の子局装置の頻度情報を読み出し、その頻度情報を参照してデータ収集対象の子局装置を決定することを特徴とする請求項３記載の無線通信システム。
【請求項５】
親局装置は、複数の子局装置から送信されたデータのデータ量に応じて、上記複数の子局装置からデータを収集する頻度を変更することを特徴とする請求項４記載の無線通信システム。
【請求項６】
複数の子局装置は、親局装置に送信するデータのデータ量に応じて、自局からデータを収集する頻度の変更要求を上記親局装置に送信する変更要求手段を設けたことを特徴とする請求項４記載の無線通信システム。
【請求項７】
親局装置から送信されたポーリング要求を受信するポーリング要求受信手段と、他の子局装置から上記親局装置宛に送信されたデータを受信するデータ受信手段と、上記ポーリング要求受信手段によりポーリング要求が受信されると、上記データ受信手段により受信されたデータに含まれているデータ長情報を参照してデータの送信タイミングを計算する送信タイミング計算手段と、上記送信タイミング計算手段により計算された送信タイミングで、データ長情報を含むデータを上記親局装置に送信するデータ送信手段とを備えた子局装置。
【発明の詳細な説明】
【技術分野】
【０００１】
この発明は、親局装置が複数の子局装置に蓄積されているデータを収集する無線通信システムと、親局装置からポーリング要求を受信すると、蓄積されているデータを親局装置に送信する子局装置とに関するものである。
【背景技術】
【０００２】
親局装置が複数の子局装置に蓄積されているデータを収集する従来の無線通信システムでは、無線フレームを子局装置の台数分に分割し、各子局装置が同一サイズの分割フレームを利用してデータを親局装置に送信する（例えば、特許文献１参照）。
したがって、従来の無線通信システムでは、複数の子局装置がデータ長を分割フレームに合わせて固定長のデータを送信するようにすれば、フレーム長以下の空き領域が生まれず、親局装置が効率的にデータを収集することができる。
【０００３】
【特許文献１】特開平２−３１５３７号公報（第２頁から第３頁、図２）
【発明の開示】
【発明が解決しようとする課題】
【０００４】
従来の無線通信システムは以上のように構成されているので、親局装置が複数の子局装置から可変長のデータを収集する場合、データ長が分割フレームより短くなると、分割フレームの中に空き領域が生まれ、親局装置が複数の子局装置から効率的にデータを収集することができなくなるなどの課題があった。
【０００５】
この発明は上記のような課題を解決するためになされたもので、親局装置が複数の子局装置から可変長のデータを収集する場合でも、親局装置が効率的にデータを収集することができる無線通信システム及び子局装置を得ることを目的とする。
【課題を解決するための手段】
【０００６】
この発明に係る無線通信システムは、親局装置から送信されたポーリング要求を受信すると、他の子局装置から親局装置宛に送信されたデータに含まれているデータ長情報を参照してデータの送信タイミングを計算する送信タイミング計算手段を設け、その送信タイミング計算手段により計算された送信タイミングで、データ長情報を含むデータを親局装置に送信するようにしたものである。
【発明の効果】
【０００７】
この発明によれば、親局装置から送信されたポーリング要求を受信すると、他の子局装置から親局装置宛に送信されたデータに含まれているデータ長情報を参照してデータの送信タイミングを計算する送信タイミング計算手段を設け、その送信タイミング計算手段により計算された送信タイミングで、データ長情報を含むデータを親局装置に送信するように構成したので、親局装置が複数の子局装置から可変長のデータを収集する場合でも、親局装置が効率的にデータを収集することができる効果がある。
【発明を実施するための最良の形態】
【０００８】
実施の形態１．
図１はこの発明の実施の形態１による無線通信システムを示す構成図であり、図において、親局装置１はポーリング要求をＮ台の子局装置２−１〜２−Ｎに送信し、Ｎ台の子局装置２−１〜２−Ｎに蓄積されているデータを収集する。
図２はこの発明の実施の形態１による無線通信システムの親局装置１を示す構成図であり、図において、外部処理装置１１はＮ台の子局装置２−１〜２−Ｎに蓄積されているデータを収集する必要があるとき、ポーリング要求を中央処理装置１２に発信する。
中央処理装置１２は外部処理装置１１からポーリング要求を受けると、そのポーリング要求を送信部１３に出力する一方、受信部１５により受信されたデータ（Ｎ台の子局装置２−１〜２−Ｎから送信されたデータ）をＲＡＭ１６に格納するとともに、Ｎ台の子局装置２−１〜２−Ｎから送信されたデータを受信した旨を外部処理装置１１に通知する。
【０００９】
送信部１３は中央処理装置１２からポーリング要求を受けると、例えば、そのポーリング要求を拡散変調信号に変換し、アンテナ１４を介して、その拡散変調信号をＮ台の子局装置２−１〜２−Ｎに送信する。
受信部１５はアンテナ１４が子局装置２−１〜２−Ｎから拡散変調信号を受信すると、その拡散変調信号からデータ（子局装置２−１〜２−Ｎに蓄積されていたデータ）を復調して中央処理装置１２に出力する。
【００１０】
図３はこの発明の実施の形態１による無線通信システムの子局装置２−１〜２−Ｎを示す構成図であり、図において、外部処理装置２１は各種のデータを収集し、中央処理装置２６を介して、そのデータをＲＡＭ２２に格納する。ＲＯＭ２３には自局ＩＤや親局装置１に対する子局装置２−１〜２−Ｎの送信順序を示す順序情報などが格納されている。
受信部２５はアンテナ２４が親局装置１から送信された拡散変調信号を受信すると、その拡散変調信号からポーリング要求を復調して中央処理装置２６に出力し、また、アンテナ２４が他の子局装置から親局装置１宛に送信された拡散変調信号を受信すると、その拡散変調信号からデータ（他の子局装置から親局装置１宛に送信されたデータ）を復調して中央処理装置２６に出力する。
なお、アンテナ２４及び受信部２５は、ポーリング要求受信手段とデータ受信手段を構成している。
【００１１】
中央処理装置２６は受信部２５からポーリング要求を受けたのち、他の子局装置から親局装置１宛に送信されたデータを受けると、そのデータに含まれているデータ長情報を参照してデータの送信タイミングを計算する送信タイミング計算手段を構成している。
送信部２７はデータ長情報を含むデータを拡散変調信号に変換し、中央処理装置２６により計算された送信タイミングで、その拡散変調信号をアンテナ２４を介して親局装置１に送信する。
なお、アンテナ２４及び送信部２７はデータ送信手段を構成している。
【００１２】
次に動作について説明する。
子局装置２−１〜２−Ｎは、親局装置１からポーリング要求を受信すると、ＲＡＭ２２に蓄積されているデータを順番に親局装置１に送信するが、親局装置１に対する子局装置２−１〜２−Ｎの送信順序は予め設定されており、その送信順序を示す順序情報がＲＯＭ２３に格納されているものとする。
この実施の形態１では、説明の便宜上、子局装置２−１，２−２，２−３，２−４，・・・２−Ｎの順番で送信するものとする。
【００１３】
まず、親局装置１の外部処理装置１１は、Ｎ台の子局装置２−１〜２−Ｎに蓄積されているデータを収集する必要が生じると、ポーリング要求を中央処理装置１２に発信する。
親局装置１の中央処理装置１２は、外部処理装置１１からポーリング要求を受けると、そのポーリング要求を送信部１３に出力する。
親局装置１の送信部１３は、中央処理装置１２からポーリング要求を受けると、例えば、そのポーリング要求を拡散変調信号に変換し、アンテナ１４を介して、その拡散変調信号をＮ台の子局装置２−１〜２−Ｎに送信する。
【００１４】
子局装置２−１〜２−Ｎの受信部２５は、アンテナ２４が親局装置１から送信された拡散変調信号を受信すると、その拡散変調信号からポーリング要求を復調して中央処理装置２６に出力する。
子局装置２−１〜２−Ｎの中央処理装置２６は、受信部２５からポーリング要求を受けると、ＲＯＭ２３に格納されている順序情報を参照して、自局の送信順序を確認する。
この際、子局装置２−１の中央処理装置２６は、自局の送信順序が第１番目であるので、他の子局装置から親局装置１宛に送信されるデータの受信を待つことなく、直ちにＲＡＭ２２に格納されているデータを読み出すとともに、ＲＯＭ２３に格納されている自局ＩＤを読み出し、図４に示すように、そのデータのヘッダ部に自局ＩＤを付加する。また、そのデータのデータ長を示す情報をヘッダ部に付加する。
子局装置２−１の送信部２７は、中央処理装置２６から自局ＩＤとデータ長情報が付加されたデータ（以下、ヘッダ付データという）を受けると、そのヘッダ付データを拡散変調信号に変換し、アンテナ２４を介して、その拡散変調信号を親局装置１に送信する。
【００１５】
子局装置２−１以外の子局装置、即ち、子局装置２−２〜２−Ｎの受信部２５は、アンテナ２４が子局装置２−１から親局装置宛に送信された拡散変調信号を受信すると、その拡散変調信号からヘッダ付データを復調して中央処理装置２６に出力する。
子局装置２−２〜２−Ｎの中央処理装置２６は、受信部２５から出力されたヘッダ付データに含まれている自局ＩＤ（子局装置２−１のＩＤ）と、ＲＯＭ２３に格納されている順序情報を照合して、次の送信対象局が自局であるか否かを確認する。
この例では、子局装置２−１からヘッダ付データを受信しているので、子局装置２−２の中央処理装置２６は、次の送信対象局が自局であると判断し、子局装置２−３〜２−Ｎの中央処理装置２６は、次の送信対象局が自局ではないと判断する。
【００１６】
このため、この段階では、子局装置２−３〜２−Ｎの中央処理装置２６は、データの送信処理を開始しないが、子局装置２−２の中央処理装置２６は、ＲＡＭ２２に格納されているデータを読み出すとともに、ＲＯＭ２３に格納されている自局ＩＤを読み出し、図４に示すように、そのデータのヘッダ部に自局ＩＤを付加する。また、そのデータのデータ長を示す情報をヘッダ部に付加する。
また、子局装置２−２の中央処理装置２６は、子局装置２−１から受信したヘッダ付データに含まれているデータ長を示す情報を参照してデータの送信タイミングを計算し、その送信タイミングに至ると、ヘッダ付データを送信部２７に出力する。
例えば、データ長がＭであり、データ長“１”当りのデータ送信時間がＴであるとすると、子局装置２−１からヘッダ付データを受信してから、Ｍ×Ｔ時間後が自局の送信タイミングであると計算する。
子局装置２−２の送信部２７は、中央処理装置２６から自局ＩＤとデータ長情報が付加されたヘッダ付データを受けると、そのヘッダ付データを拡散変調信号に変換し、アンテナ２４を介して、その拡散変調信号を親局装置１に送信する。
【００１７】
子局装置２−１，２−２以外の子局装置、即ち、子局装置２−３〜２−Ｎの受信部２５は、アンテナ２４が子局装置２−２から親局装置宛に送信された拡散変調信号を受信すると、上記と同様にして、その拡散変調信号からヘッダ付データを復調して中央処理装置２６に出力する。
子局装置２−３〜２−Ｎの中央処理装置２６は、受信部２５から出力されたヘッダ付データに含まれている自局ＩＤと、ＲＯＭ２３に格納されている順序情報を照合して、次の送信対象局が自局であるか否かを確認する。
即ち、子局装置２−３〜２−Ｎの中央処理装置２６は、送信順序が自局より１つ前の子局装置からヘッダ付データを受信した場合には、次の送信対象局が自局であると判断し（例えば、子局装置２−３であれば、子局装置２−２のＩＤが含まれている場合、子局装置２−Ｎであれば、子局装置２−（Ｎ−１）のＩＤが含まれている場合）、子局装置２−２の中央処理装置２６と同様にして、自局の送信タイミングを計算し、その送信タイミングに至ると、ヘッダ付データを送信部２７に出力する。
子局装置２−３〜２−Ｎの送信部２７は、中央処理装置２６により自局ＩＤとデータ長情報が付加されたヘッダ付データを受けると、子局装置２−２の送信部２７と同様にして、そのヘッダ付データを拡散変調信号に変換し、アンテナ２４を介して、その拡散変調信号を親局装置１に送信する。
【００１８】
この結果、図５に示すように、子局装置２−１〜２−Ｎから可変長のヘッダ付データがインターバルを空けることなく、連続的に親局装置１に送信される。
親局装置１の受信部１５は、アンテナ１４が子局装置２−１〜２−Ｎから順番に送信される拡散変調信号を受信する毎に、その拡散変調信号からヘッダ付データ（子局装置２−１〜２−ＮのＲＡＭ２２に蓄積されていたデータ）を復調して中央処理装置１２に出力する。
親局装置１の中央処理装置１２は、受信部１５からヘッダ付データを受ける毎に、そのヘッダ付データをＲＡＭ１６に格納する。
また、親局装置１の中央処理装置１２は、Ｎ台の子局装置２−１〜２−Ｎから送信されたヘッダ付データの受信を完了すると、その旨を外部処理装置１１に通知する。
【００１９】
以上で明らかなように、この実施の形態１によれば、親局装置１から送信されたポーリング要求を受信すると、他の子局装置から親局装置１宛に送信されたデータに含まれているデータ長情報を参照してデータの送信タイミングを計算し、その送信タイミングで、データ長情報を含むデータを親局装置１に送信するように構成したので、親局装置１が複数の子局装置２−１〜２−Ｎから可変長のデータを収集する場合でも、親局装置１が効率的にデータを収集することができる効果を奏する。
【００２０】
実施の形態２．
上記実施の形態１では、子局装置２−１〜２−ＮのＲＯＭ２３には、親局装置１に対する子局装置２−１〜２−Ｎの送信順序を示す順序情報が予め格納されているものについて示したが、図６に示すように、親局装置１の外部処理装置１１が子局装置２−１〜２−Ｎの送信順序を示す順序情報をポーリング要求に含め、順序情報付のポーリング要求を子局装置２−１〜２−Ｎに送信するようにしてもよい。
この場合、子局装置２−１〜２−Ｎの中央処理装置２６は、受信部２５から出力されたヘッダ付データに含まれている自局ＩＤと、受信部２５から出力されたポーリング要求に含まれている順序情報を照合して、次の送信対象局が自局であるか否かを確認するようにする。
【００２１】
この実施の形態２によれば、上記実施の形態１と同様の効果を奏する他に、親局装置１は、データを収集する必要がある子局装置のみからデータを収集することができるので、更にデータの収集効率を高めることができる効果を奏する。
【００２２】
実施の形態３．
上記実施の形態２では、親局装置１が子局装置２−１〜２−Ｎの送信順序を示す順序情報を含むポーリング要求を子局装置２−１〜２−Ｎに送信するものについて示したが、ポーリング要求を複数の子局装置に送信するに際して、子局装置２−１〜２−Ｎの頻度情報を読み出し、その頻度情報を参照してデータ収集対象の子局装置を決定するようにしてもよい。
【００２３】
即ち、親局装置１のＲＡＭ１６には、図７に示すように、子局装置２−１〜２−Ｎからデータを収集する頻度を示す頻度情報が時間帯別に記録されているテーブルを格納する。
ここで、図７は例えば現在時刻が５：００であるとき、子局装置２−１の頻度は１００％であるので、子局装置２−１は必ずデータ収集対象に含めるが、子局装置２−２の頻度は５０％であるので、子局装置２−２は２回に１回の割合でデータ収集対象に含めることを示している。
【００２４】
親局装置１の外部処理装置１１は、ポーリング要求を中央処理装置１２に発信する際、例えば、内部クロックを参照して現在時刻を認識して、図７のテーブルから現在時刻に対応する子局装置２−１〜２−Ｎの頻度情報を読み出し、その頻度情報を参照してデータ収集対象の子局装置を決定し、データ収集対象の子局装置の送信順序を示す順序情報をポーリング要求に含めるようにする。
これにより、データを収集する必要性が高い子局装置のみからデータを収集することができるので、更にデータの収集効率を高めることができる効果を奏する。
【００２５】
実施の形態４．
上記実施の形態３では、頻度情報が時間帯別に記録されているテーブルがＲＡＭ１６に格納されているものについて示したが、例えば、親局装置１の外部処理装置１１が、過去のポーリング要求に伴って子局装置２−１〜２−Ｎから収集したデータのデータ量が基準データ量Ａより多い場合、そのデータの送信元の子局装置の頻度を高め（例えば、５％高める）、子局装置２−１〜２−Ｎから収集したデータのデータ量が基準データ量Ｂより少ない場合、そのデータの送信元の子局装置の頻度を下げる（例えば、５％下げる）ようにしてもよい。ただし、基準データ量Ａ＞基準データ量Ｂとする。
これにより、子局装置２−１〜２−Ｎから収集したデータのデータ量に応じて頻度を変更できるため、データの収集効率を高めることができる効果を奏する。
【００２６】
実施の形態５．
上記実施の形態４では、親局装置１の外部処理装置１１が子局装置２−１〜２−Ｎから収集するデータの頻度を変更するものについて示したが、例えば、子局装置２−１〜２−Ｎの中央処理装置２６が変更要求手段を構成し、親局装置１に送信するデータのデータ量に応じて、自局からデータを収集する頻度の変更要求を親局装置１に送信するようにしてもよい。
【００２７】
即ち、子局装置２−１〜２−Ｎの中央処理装置２６は、親局装置１から送信されたポーリング要求に伴って、ＲＡＭ２２に格納されている自局のデータを親局装置１に送信する際、図８に示すように、そのデータのデータ量が基準データ量Ｃより多い場合、自局からデータを収集する頻度を高めることを要求する頻度変更要求をデータのヘッダ部に付加する。一方、そのデータのデータ量が基準データ量Ｄより少ない場合、自局からデータを収集する頻度を下げることを要求する頻度変更要求をデータのヘッダ部に付加するようにしてもよい。ただし、基準データ量Ｃ＞基準データ量Ｄとする。
これにより、子局装置２−１〜２−Ｎが送信するデータのデータ量に応じて頻度を変更できるため、データの収集効率を高めることができる効果を奏する。
【図面の簡単な説明】
【００２８】
【図１】この発明の実施の形態１による無線通信システムを示す構成図である。
【図２】この発明の実施の形態１による無線通信システムの親局装置を示す構成図である。
【図３】この発明の実施の形態１による無線通信システムの子局装置を示す構成図である。
【図４】データのヘッダ部を示す説明図である。
【図５】複数の子局装置の送信タイミングを示す説明図である。
【図６】順序情報を含むポーリング要求を示す説明図である。
【図７】子局装置からデータを収集する頻度を示す頻度情報が時間帯別に記録されているテーブルを示す説明図である。
【図８】データのヘッダ部を示す説明図である。
【符号の説明】
【００２９】
１  親局装置、２−１〜２−Ｎ  子局装置、１１  外部処理装置、２  中央処理装置（変更要求手段）、１３  送信部、１４  アンテナ、１５  受信部、１６  ＲＡＭ、２１  外部処理装置、２２  ＲＡＭ、２３  ＲＯＭ、２４  アンテナ（ポーリング要求受信手段、データ受信手段、データ送信手段）、２５  受信部（ポーリング要求受信手段、データ受信手段）、２６  中央処理装置（送信タイミング計算手段）、２７  送信部（データ送信手段）。
【図１】
2005167491.tif 000003
【図２】
2005167491.tif 000004
【図３】
2005167491.tif 000005
【図４】
2005167491.tif 000006
【図５】
2005167491.tif 000007
【図６】
2005167491.tif 000008
【図７】
2005167491.tif 000009
【図８】
2005167491.tif 000010